(57)【要約】      （修正有）【課題】既存のシステムに大幅な変更なく、盗難カードや偽造カードの使用を抑制し、利用者の金融取引の安全性を高めた個人認証方法及び個人認証システムを提供する。【解決手段】情報入力手段１３により数字又は文字による情報を入力する情報入力ステップと、該情報入力ステップにより入力された入力情報と、登録情報データベース３に予め登録されている登録情報とが一致するか否かを判別する情報判別ステップと、該情報判別ステップの結果により所定の処理を行う所定処理ステップとを有し、該登録情報には、利用者本人であることを示す情報である本人特定情報と、利用者本人で無いことを示す情報である擬似情報とが存在し、該所定処理ステップでは、該入力情報が該本人特定情報である場合、該入力情報が該擬似情報である場合、及び該入力情報が該本人特定情報又は該擬似情報のいずれでもない場合に分けて、各々異なる処理を行う。【選択図】図１
2006293454.tif 000002
【特許請求の範囲】
【請求項１】
利用者の認証を行うための個人認証方法において、
情報入力手段により数字又は文字による情報を入力する情報入力ステップと、
該情報入力ステップにより入力された入力情報と、登録情報データベースに予め登録されている登録情報とを対比し、該入力情報と該登録情報とが一致するか否かを判別する情報判別ステップと、
該情報判別ステップの結果により所定の処理を行う所定処理ステップとを有し、
該登録情報には、利用者本人であることを示す情報である本人特定情報と、利用者本人で無いことを示す情報である擬似情報とが存在し、
該所定処理ステップでは、該入力情報が該本人特定情報である場合、該入力情報が該擬似情報である場合、及び該入力情報が該本人特定情報又は該擬似情報のいずれでもない場合に分けて、各々異なる処理を行うことを特徴とする個人認証方法。
【請求項２】
請求項１に記載の個人認証方法において、該情報入力ステップの前に、利用者毎に付与された識別コードが記録された金融カードと、該カードの該識別コードを読み取る識別コード読取手段とにより、該カードの該識別コードを読み取る識別コード読取ステップを有することを特徴とする個人認証方法。
【請求項３】
請求項２に記載の個人認証方法において、該識別コード読取手段が該カードを回収するカード回収手段と組み合わされており、該所定処理ステップにおける該入力情報が該擬似情報である場合の処理は、該カード回収手段を動作させる処理であることを特徴とする個人認証方法。
【請求項４】
請求項１乃至３のいずれかに記載の個人認証方法において、該情報入力手段の傍らに利用者を撮影する撮影手段を備えており、該所定処理ステップにおける該入力情報が該擬似情報である場合の処理は、該撮影手段を動作させる処理であることを特徴とする個人認証方法。
【請求項５】
請求項１乃至４のいずれかに記載の個人認証方法において、該所定処理ステップにおける該入力情報が該擬似情報である場合の処理は、予め登録されている機関又は該登録情報データベースに登録されている連絡先に通報処理を行うことであることを特徴とする個人認証方法。
【請求項６】
数字又は文字による情報を入力する情報入力手段と、予め登録されている登録情報を蓄積した登録情報データベースと、該情報入力手段から入力された入力情報と該登録情報とを対比する情報処理装置とを有する個人認証システムにおいて、
該登録情報には、利用者本人であることを示す情報である本人特定情報と、利用者本人で無いことを示す情報である擬似情報とを有し、
該情報処理装置では、該入力情報が該本人特定情報である場合、該入力情報が該擬似情報である場合、及び該入力情報が該本人特定情報又は該擬似情報のいずれでもない場合に分けて、各々異なる処理を行うことを特徴とする個人認証システム。
【請求項７】
請求項６に記載の個人認証システムにおいて、利用者毎に付与された識別コードが記録された金融カードの該識別コードを読み取る識別コード読取手段を備えることを特徴とする個人認証システム。
【請求項８】
請求項７に記載の個人認証システムにおいて、該識別コード読取手段が該カードを回収するカード回収手段と組み合わされていることを特徴とする個人認証システム。
【請求項９】
請求項６乃至８のいずれかに記載の個人認証システムにおいて、該情報入力手段の傍らに利用者を撮影する撮影手段を備えていることを特徴とする個人認証システム。
【請求項１０】
請求項６乃至９のいずれかに記載の個人認証システムにおいて、該情報処理装置は、予め登録されている機関又は該登録情報データベースに登録されている連絡先に通報処理を行う手段を備えていることを特徴とする個人認証システム。
【発明の詳細な説明】
【技術分野】
【０００１】
本発明は、個人認証方法及び個人認証システムに関し、特に、数字又は文字による情報の入力から利用者の認証を行うための個人認証方法及び個人認証システムに関する。
【背景技術】
【０００２】
従来、銀行等のキャッシュカードやクレジットカードなど（以下、「金融カード」という。）を使用し、預金や預金の払い出し、また金融決済など多くの金銭取引が行われている。しかしながら、近年、金融カードの盗難や金融カードを偽造し、不正に金銭を取得したり、金融決済を行うなどの犯罪が多発している。
【０００３】
これらの犯罪の原因の一つには、金融カードの殆どが、４桁の暗証番号を入力することにより、利用者の認証を行っており、該カードの暗証番号に、生年月日や電話番号などの利用者本人に関わる特有の情報を使用しているケースが多いことが挙げられている。
【０００４】
これらの対策としては、利用者の指紋、掌静脈、顔面などの身体的特徴を使用して、利用者の認証の正確性を高める方法が提案され、また実施されている。しかしながら、これらの身体的特徴を使用する方法は、既存のシステムが利用できず、新たな現金自動預払機（ＡＴＭ）を導入する必要があり、システムを構築する上でも大きなコスト負担が伴うという欠点がある。
【０００５】
また、特許文献１に示すように、暗証番号に替わり、事前に登録されている複数の画像データとその画像データに類似した他の複数の画像データとを混ぜ合わせて表示し、表示した画像データの中から登録した画像データを選択させるなどの方法により、利用者の認証を行う方法も提案されている。このような新たな方法では、使用する情報が多様化するため、他人に盗用される可能性が低くなる反面、利用者自身が本人の識別情報を記憶する手間が掛る上、システムも複雑化し、コスト負担も増大するなどの問題を生じていた。
【特許文献１】特開２００２−１８９９６７号公報
【発明の開示】
【発明が解決しようとする課題】
【０００６】
本発明が解決する課題は、上述した問題を解決し、既存のシステムに大幅な変更を加えることなく、盗難カードや偽造カードの使用を抑制し、利用者の金融取引の安全性を高めた個人認証方法及び個人認証システムを提供することである。
【課題を解決するための手段】
【０００７】
上記課題を解決するため、請求項１に係る発明では、利用者の認証を行うための個人認証方法において、情報入力手段により数字又は文字による情報を入力する情報入力ステップと、該情報入力ステップにより入力された入力情報と、登録情報データベースに予め登録されている登録情報とを対比し、該入力情報と該登録情報とが一致するか否かを判別する情報判別ステップと、該情報判別ステップの結果により所定の処理を行う所定処理ステップとを有し、該登録情報には、利用者本人であることを示す情報である本人特定情報と、利用者本人で無いことを示す情報である擬似情報とが存在し、該所定処理ステップでは、該入力情報が該本人特定情報である場合、該入力情報が該擬似情報である場合、及び該入力情報が該本人特定情報又は該擬似情報のいずれでもない場合に分けて、各々異なる処理を行うことを特徴とする。
【０００８】
請求項２に係る発明では、請求項１に記載の個人認証方法において、該情報入力ステップの前に、利用者毎に付与された識別コードが記録された金融カードと、該カードの該識別コードを読み取る識別コード読取手段とにより、該カードの該識別コードを読み取る識別コード読取ステップを有することを特徴とする。
本発明における「金融カード」とは、キャッシュカードやクレジットカードに限らず、デパートやスーパーマーケットなど、利用者を特定するために発行される各種カードを含み、特に、該カードに利用者を特定するための識別コードを付与すると共に、暗証番号などの本人を特定する本人特定情報を入力するものであるなら、本発明の技術的範囲に含まれるものである。
【０００９】
請求項３に係る発明では、請求項２に記載の個人認証方法において、該識別コード読取手段が該カードを回収するカード回収手段と組み合わされており、該所定処理ステップにおける該入力情報が該擬似情報である場合の処理は、該カード回収手段を動作させる処理であることを特徴とする。
【００１０】
請求項４に係る発明では、請求項１乃至３のいずれかに記載の個人認証方法において、該情報入力手段の傍らに利用者を撮影する撮影手段を備えており、該所定処理ステップにおける該入力情報が該擬似情報である場合の処理は、該撮影手段を動作させる処理であることを特徴とする。
【００１１】
請求項５に係る発明では、請求項１乃至４のいずれかに記載の個人認証方法において、該所定処理ステップにおける該入力情報が該擬似情報である場合の処理は、予め登録されている機関又は該登録情報データベースに登録されている連絡先に通報処理を行うことであることを特徴とする。
【００１２】
請求項６に係る発明では、数字又は文字による情報を入力する情報入力手段と、予め登録されている登録情報を蓄積した登録情報データベースと、該情報入力手段から入力された入力情報と該登録情報とを対比する情報処理装置とを有する個人認証システムにおいて、該登録情報には、利用者本人であることを示す情報である本人特定情報と、利用者本人で無いことを示す情報である擬似情報とを有し、該情報処理装置では、該入力情報が該本人特定情報である場合、該入力情報が該擬似情報である場合、及び該入力情報が該本人特定情報又は該擬似情報のいずれでもない場合に分けて、各々異なる処理を行うことを特徴とする。
【００１３】
請求項７に係る発明では、請求項６に記載の個人認証システムにおいて、利用者毎に付与された識別コードが記録された金融カードの該識別コードを読み取る識別コード読取手段を備えることを特徴とする。
【００１４】
請求項８に係る発明では、請求項７に記載の個人認証システムにおいて、該識別コード読取手段が該カードを回収するカード回収手段と組み合わされていることを特徴とする。
【００１５】
請求項９に係る発明では、請求項６乃至８のいずれかに記載の個人認証システムにおいて、該情報入力手段の傍らに利用者を撮影する撮影手段を備えていることを特徴とする。
【００１６】
請求項１０に係る発明では、請求項６乃至９のいずれかに記載の個人認証システムにおいて、該情報処理装置は、予め登録されている機関又は該登録情報データベースに登録されている連絡先に通報処理を行う手段を備えていることを特徴とする。
【発明の効果】
【００１７】
請求項１に係る発明により、利用者の認証を行うための個人認証方法において、情報入力手段により数字又は文字による情報を入力する情報入力ステップと、該情報入力ステップにより入力された入力情報と、登録情報データベースに予め登録されている登録情報とを対比し、該入力情報と該登録情報とが一致するか否かを判別する情報判別ステップと、該情報判別ステップの結果により所定の処理を行う所定処理ステップとを有し、該登録情報には、利用者本人であることを示す情報である本人特定情報と、利用者本人で無いことを示す情報である擬似情報とが存在し、該所定処理ステップでは、該入力情報が該本人特定情報である場合、該入力情報が該擬似情報である場合、及び該入力情報が該本人特定情報又は該擬似情報のいずれでもない場合に分けて、各々異なる処理を行うため、本人特定情報以外に擬似情報を予め登録するだけで、該擬似情報を入力した使用者を不正な使用者として判断でき、該不正使用者に対応した適切な処理を施すことが可能となる。
しかも、このような擬似情報は、本人特定情報と同様に既存システム上に組み込むことができ、既存システムの大幅な変更が不要である。
【００１８】
請求項２に係る発明により、情報入力ステップの前に、利用者毎に付与された識別コードが記録された金融カードと、該カードの該識別コードを読み取る識別コード読取手段とにより、該カードの該識別コードを読み取る識別コード読取ステップを有するため、金融カードの利用者を該識別コードで容易に特定でき、その後の情報入力ステップにより、正規の利用者か否かを容易に判別することが可能となる。
また、金融カードを使用して本人を特定するため、キャッシュカードなどに係る盗難カードや偽造カードを使用する不正使用者にとっては、該金融カードと擬似情報とが組み合わされている場合には、不正使用が抑制され、正規な利用者の金融取引の安全性を高めることが可能となる。
【００１９】
請求項３に係る発明により、識別コード読取手段が金融カードを回収するカード回収手段と組み合わされており、所定処理ステップにおける入力情報が擬似情報である場合の処理は、該カード回収手段を動作させる処理であるため、金融カードの不正使用者が擬似情報を入力した場合には、識別コード読取手段と共に設けれられたカード回収手段により、該カードが回収されるため、それ以降の該カードの不正使用を防止することができる。
【００２０】
請求項４に係る発明により、情報入力手段の傍らに利用者を撮影する撮影手段を備えており、所定処理ステップにおける入力情報が擬似情報である場合の処理は、該撮影手段を動作させる処理であるため、擬似情報を入力した不正使用者を撮影し、警察等における不正使用者の発見を容易にすることができる。
【００２１】
請求項５に係る発明により、所定処理ステップにおける入力情報が擬似情報である場合の処理は、予め登録されている機関又は登録情報データベースに登録されている連絡先に通報処理を行うため、擬似情報を入力するような不正な行為があった場合には、銀行や警察などの関係機関や、登録情報データベースに登録されている金融カードの正規な利用者の電話等に電話・ＦＡＸ・電子メールなどで状況を速やかに通報することが可能となる。
【００２２】
請求項６に係る発明により、数字又は文字による情報を入力する情報入力手段と、予め登録されている登録情報を蓄積した登録情報データベースと、該情報入力手段から入力された入力情報と該登録情報とを対比する情報処理装置とを有する個人認証システムにおいて、該登録情報には、利用者本人であることを示す情報である本人特定情報と、利用者本人で無いことを示す情報である擬似情報とを有し、該情報処理装置では、該入力情報が該本人特定情報である場合、該入力情報が該擬似情報である場合、及び該入力情報が該本人特定情報又は該擬似情報のいずれでもない場合に分けて、各々異なる処理を行うため、請求項１と同様に、本人特定情報以外に擬似情報を予め登録するだけで、該擬似情報を入力した使用者を不正な使用者として判断でき、該不正使用者に対応した適切な処理を施すことが可能となる。
しかも、このような擬似情報は、本人特定情報と同様に既存システム上に組み込むことができ、既存システムの大幅な変更が不要である。
【００２３】
請求項７に係る発明により、利用者毎に付与された識別コードが記録された金融カードの該識別コードを読み取る識別コード読取手段を備えるため、請求項２と同様に、金融カードを使用する利用者を該識別コードで容易に特定でき、その後の情報入力ステップにより、正規の利用者か否かを容易に判別することが可能となる。
また、金融カードを使用して本人を特定するため、キャッシュカードなどに係る盗難カードや偽造カードを使用する不正使用者にとっては、該金融カードと擬似情報とが組み合わされている場合には、不正使用が抑制され、正規な利用者の金融取引の安全性を高めることが可能となる。
【００２４】
請求項８に係る発明により、識別コード読取手段が金融カードを回収するカード回収手段と組み合わされているため、請求項３と同様に、金融カードの不正使用者が擬似情報を入力した場合には、識別コード読取手段と共に設けれられたカード回収手段により、該カードが回収されるため、それ以降の該カードの不正使用を防止することができる。
【００２５】
請求項９に係る発明により、情報入力手段の傍らに利用者を撮影する撮影手段を備えてため、請求項４と同様に、擬似情報を入力した不正使用者を撮影し、警察等における不正使用者の発見を容易にすることができる。
【００２６】
請求項１０に係る発明により、情報処理装置は、予め登録されている機関又は登録情報データベースに登録されている連絡先に通報処理を行う手段を備えているため、請求項５と同様に、擬似情報を入力するような不正な行為があった場合には、銀行や警察などの関係機関や、登録情報データベースに登録されている金融カードの正規な利用者の電話等に電話・ＦＡＸ・電子メールなどで状況を速やかに通報することが可能となる。
【発明を実施するための最良の形態】
【００２７】
本発明に係る個人認証方法及び個人認証システムについて、以下に詳細に説明する。以下では、銀行のキャッシュカードを利用したシステムを中心に説明するが、本発明は、これに限らず、個人認証を必要とするシステムに広く適用可能であることは言うまでもない。
図１は、本発明に係る個人認証システムの概略図である。
個人認証システムは、利用者が操作する入出力端末１、システム全体を動作させる情報処理装置２及び個人情報を蓄積した登録情報データベース３とから構成される。
【００２８】
入出力端末１、情報処理装置２及び登録情報データベース３は、別々の装置で構成し、各々の間を電気通信回線で接続する。また、必要に応じて、入出力端末１と情報処理装置２、あるいは、情報処理装置２と登録情報データベース３とを一つの装置内に一体的に組み込むことも可能である。
【００２９】
入出力端末１としては、銀行のＡＴＭなどのように、キャッシュカードなどの金融カードに記録された識別コードを読み取るカード読取機（識別コード読取手段）１１を有している。本発明において識別コードは、利用者毎に割り当てられた利用者を特定するためのコードデータである。従来のように、名刺サイズのカードに磁気テープ又はＩＣチップを組み込み、該識別コードを記録しても良いが、本発明はこのようなカードに限らず、例えば、携帯電話に識別コードを記録し、該携帯電話と入出力端末１との間で双方向通信を行い、該識別コードを読み取るよう構成することも可能である。さらに、用紙に印刷されたバーコードを使用して識別コードとして入力するよう構成することも可能である。また、必要に応じて、利用者が識別コードを直接入力するよう構成することもできる。
【００３０】
また、入出力端末１には、数字又は文字（アルファベット，カタカナ等）による情報を入力する情報入力手段１３が備えられている。情報入力手段としては、単にテンキーやアルファベット・キーなどのキー入力手段に限らず、タッチ型表示パネルなどのように多機能な入力手段を採用することも可能である。
本発明において情報入力手段１３は、使用者が正規な利用者であるか否かを判別するための暗証番号などの本人特定情報を入力する機能さえあれば良く、それ以外の機能は任意に付加することが可能である。本発明に係る本人特定情報である暗証番号としては、現在の銀行のＡＴＭで使用されている、４桁の数字配列でも十分に問題なく機能する。むしろ、現在のシステムからの変更部分を最小限とするには、４桁の数字による暗証番号を用いることが最も効果的である。
【００３１】
入出力端末１には、その他に、金融カードの不正な使用に対処するための各種手段を備えることが好ましい。具体的には、不正使用された金融カードを回収するカード回収手段１２や、不正使用者を撮影するためのカメラなどの撮影手段１０、さらにはアラームなどの警報や音声を発生する機器（不図示）、非常時の連絡用の電話（不図示）などを、入出力端末１に一体的に備えることが可能である。
【００３２】
次に、情報処理装置２について説明する。
情報処理装置２には、後述する処理フローに従って動作するコンピュータが組み込まれており、登録情報データベースに蓄積された情報を基に、入出力端末１から受け取る識別コードや使用者が入力した情報（暗証番号等）に従い、種々の処理を行うよう構成されている。
【００３３】
登録情報データベース３には、図２に示すような利用者毎の各種データが蓄積されている。「カードＮｏ．」とは、キャッシュカードに記載されている口座番号のように利用者を特定するための識別コードに相当するデータである。識別コードは、数字又は文字の組合せで構成される情報である。「利用者名」とは、当該識別コードが割り当てられている利用者の名称であり、本発明においては必ずしも必要な情報ではないが、利用者毎のデータを管理する際、また、データを印刷又は画像表示する際に、利用者をより的確に把握する上で有用な情報となる。当然、必要に応じ、「利用者名」に加え、「住所」情報を蓄積することも可能である。
【００３４】
「暗証番号」は、金融カードの使用者が正規な利用者であることを確認するための本人特定情報であり、数字又は文字からなる一連の番号で構成される。暗証番号は、安全性の観点から基本的に一つの番号であるが、必要に応じて複数の暗証番号を備えても良い。
【００３５】
擬似情報である「擬似番号」は、本発明の特徴を成す構成であり、他人に盗用され易い又は推測され易い番号、例えば、生年月日、電話番号、１２３４などの連続番号など任意の番号を設定することが可能である。擬似番号は暗証番号のように単一の番号である必要は無く、複数の番号を設ける方が、不正使用者を発見する際により効果的である。
【００３６】
「電話番号」は、必ずしも必要な情報ではないが、不正使用者が発見された場合に、金融カードの所有者である正規の利用者に、カードの不正使用が行われたことを速やかに通報する場合には、有効に機能する情報ではある。
【００３７】
次に、図３を用いて、情報処理装置２を中心に行われる処理フローについて説明する。
「カードの挿入」（ａ）と「カードの識別コードの読み取り」（ｂ）とは、本発明に係る「識別コード読取ステップ」に相当する。当然、カードを使用しない場合には、「カードの挿入」（ａ）は、省略又は他の手順に置き換えられる。
「カードの挿入」（ａ）は、入出力端末１において金融カードの使用者が最初に行う行為であり、該カードの挿入が行われると、本発明に係る個人認証システムが動作を始める。当然、カードの挿入の前に、現在のＡＴＭで使用されているように、利用者が取引の形態を選択するステップを加えることも可能である。
【００３８】
「カードの識別コードの読み取り」（ｂ）で、入出力端末１に挿入された金融カードに記載されている識別コードが読み込まれる。該識別コードのデータは、入出力端末１から情報処理装置２に送信され、情報処理装置２では、登録情報データベースの「カードＮｏ．」欄に該当する識別コードが存在するか否かを判断し、存在する場合には、次の処理である「暗証番号の入力要求」（ｃ）を入出力端末１に対して行う。
なお、入出力端末１において識別コードの読み取りに続き、自動的に「暗証番号の入力要求」（ｃ）を行い、その後入力された「暗証番号」と、先の識別コードとをセットにして、情報処理装置２に送信し、該情報処理装置２において、該当する識別コードの有無、並びに暗証番号の一致等を判断するように構成することも可能である。
【００３９】
「暗証番号の入力要求」（ｃ）と「番号入力」（ｄ）とは、本発明に係る「情報入力ステップ」に相当する。
入出力端末１において、「暗証番号の入力要求」（ｃ）が行われた後、利用者は、情報入力手段１３を使用して、「番号の入力」（ｄ）を行う。
入力された番号は、情報処理装置２に送信され、登録情報データベース３に蓄積された「暗証番号」及び「擬似番号」との照合を行う。
【００４０】
ｅ〜ｇに記載された各判断処理は、本発明に係る「情報判断ステップ」に相当し、その判断結果に伴う処理であるｈ〜ｊは、本発明に係る「所定処理ステップ」に相当する。
仮に、「暗証番号」と一致した場合（ｅ）には、情報処理装置２は、現在の使用者は正規な使用者であると判断し、その後の預金の引き出しや振込みなど、入出力端末１で操作可能な正規の処理（ｈ）を実行することを許可する。
また、「擬似番号」と一致した場合（ｆ）には、情報処理装置２は、金融カードの現在の使用者は不正な使用者であると判断し、速やかに不正使用者に対応した処理（ｉ）を行う。
【００４１】
不正使用者に対応した処理としては、入出力端末１に備えられたカード回収手段１２を動作させ、カード読取機１１に取り込んだ金融カードをそのままカード回収手段１２に移送し、使用者にカードを返却しないようにする処理がある。
また、不正使用者を警察等が発見し易くするするため、使用者を撮影手段１０により撮影する処理を実行させることも可能である。撮影された画像データは、情報処理装置２に送信され、図１には図示されていない他のデータファイル内に格納され、必要に応じて出力される。
【００４２】
さらに、情報処理装置２が不正使用と判断した場合には、予め登録されている警察や金融機関等に、情報処理装置２が自動的に電話を掛け、自動メッセージを再生し、「入出力端末（場所、機械番号）で、不正使用があります。」とのメッセージを流すよう構成することも可能である。自動的に通報する先としては、警察等に限らず、登録情報データベースに登録されている利用者の電話番号であっても良い。また、電話に限らず、ＦＡＸや電子メールを利用して、メッセージを伝えるように構成することも可能である。
【００４３】
またさらに、入出力端末１にスピーカや電話などを備え、アラームや電話呼出などで、不正使用者に警報を発することも可能であり、情報入力手段を兼ねた表示画面に、「不正な使用を発見しました。」などのメッセージや点滅するアラームを表示させるとこも可能である。
【００４４】
次に、ｄで番号入力されたものが、「暗証番号」及び「擬似番号」と一致しない場合（ｇ）には、通常のＡＴＭで実施されているように、複数回に渡り再度番号入力することを要求し（ｊ）、例えば、２〜３回などの所定回数の入力でも、「暗証番号」と一致しない場合には、「不正使用者と判断し処理」（ｉ）を行う。所定回数内に「暗証番号」と一致した場合には、「正規の処理」（ｈ）を実行する。
【００４５】
以上のように、不正使用者として判断する「擬似番号」が予め登録されているため、不正使用者は、自分が入手した番号が本当に正しい暗証番号であるか否かの判断ができず、仮に不正使用した場合には、カード回収や使用者撮影など不正使用を行った痕跡を残すこととなるため、不正使用者によるカードの使用を抑制することが可能となる。しかも、本発明に係る「擬似番号」を使用するシステムは、既存の「暗証番号」のシステムに追加的に番号を登録可能とし、さらに、擬似番号が入力された場合の処理を、従来所定回数に渡り誤った「暗証番号」が入力された場合の不正処理を使用することで、容易にシステム構築することも可能であり、極めて、低コストな個人認証システムでもある。
【産業上の利用可能性】
【００４６】
以上、説明したように、本発明により、既存のシステムに大幅な変更を加えることなく、盗難カードや偽造カードの使用を抑制し、利用者の金融取引の安全性を高めた個人認証方法及び個人認証システムを提供することが可能となる。
【図面の簡単な説明】
【００４７】
【図１】本発明に係る個人認証システムの概略図を示す。
【図２】本発明に係る登録情報データベース内にデータの様子を示す図である。
【図３】本発明に係る個人認証方法の処理フローし示す図である。
【符号の説明】
【００４８】
１  入出力端末
２  情報処理装置
３  登録情報データベース
１０  撮影手段
１１  カード読取機（識別コード読取手段）
１２  カード回収手段
１３  情報入力手段
【図１】
2006293454.tif 000003
【図２】
2006293454.tif 000004
【図３】
2006293454.tif 000005